(57)【特許請求の範囲】
【請求項１】
円筒状管渠内周の約半分程度の幅と長さを有し、一端を円筒状管渠内壁のほぼ上半の周方向に固定するとともに両側を管渠内壁の管路方向に固定する方形部と、この方形部の他端に連続するほぼ半円形状を円心からＶ字状に切り欠いて形成される一対の弧状片とからなる布状体の弧状片Ｖ字状切り欠き縁部とフロート材を備えてなることを特徴とする管路臭気遮断シート。
【請求項２】
布状体の方形部の一端と両側に内壁取り付け代を形成するとともに一対の弧状片のＶ字状切り欠き縁部にフロート材収納部を形成したことを特徴とする請求項１に記載の管路臭気遮断シート。
【請求項３】
フロート材は合成樹脂単独気泡発泡体であることを特徴とする請求項１又は請求項２に記載の管路臭気遮断シート。
【発明の詳細な説明】
【０００１】
【発明の属する技術分野】
本発明は、下水道管渠内から管路を通し、外界に悪臭が流出するのを防止する管路臭気遮断シート及び管路臭気遮断方法に関する。
【０００２】
【従来の技術】
下水道管渠内からは、様々な悪臭が外界に流れる。これは管渠内を流れる下水自体に悪臭を放つものがあったり、滞留した下水の有機物等が腐敗して悪臭を放したりすることによる。
【０００３】
下水道管渠内から悪臭を外界に流出するのを遮断するための方法としては、垂れ幕式のものが考えられる。この方法は、方形筒状の管渠にあって、管渠の幅方向と高さ方向以上の長さを有する布状体を管路の天井から垂れ下げるだけで、下水の流れを遮らずに悪臭の外界への流出を遮断することができる。
【０００４】
【発明が解決しようとする課題】
しかしながら、円筒状の管渠にあっては、単に管渠の内周に合せた布状体を管路の天井から垂れ下げるという方法は不可能である。垂れ下げる方法によっては、下水の流れを遮ってしまったり、悪臭の遮断ができない。
【０００５】
本発明は、上記課題に鑑み、以下述べるところにより、下水の流れを遮らず、かつ、悪臭を遮断しようとするものである。
【０００６】
【課題を解決するための手段】
まず、管路臭気遮断シートは、円筒状管渠内周の約半分程度の幅と長さを有し、一端を円筒状管渠内壁のほぼ上半の周方向に固定するとともに両側を管渠内壁の管路方向に固定する方形部と、この方形部の他端に連続するほぼ半円形状を円心からＶ字状に切り欠いて形成される一対の弧状片とからなる布状体の弧状片Ｖ字状切り欠き縁部にフロート材を備えてなることを特徴とする。
【０００７】
好ましくは、布状体の方形部の一端と両側には、円筒状管渠内壁に布状体を取り付けるための取り付け代を形成するとともに一対の弧状片のＶ字状切り欠き縁部にフロート材を収納する収納部を形成する。
【０００８】
好ましくは、フロート材は、合成樹脂単独気泡発泡体を使用する。
【０００９】
【発明の実施の形態】
つぎに、本発明の実施の形態を図面に基づき説明する。
【００１０】
はじめに、管路臭気遮断シートについて説明する。
図１は本発明に係る管路臭気遮断シートの布状体の平面図、図２は管路臭気遮断シートの平面図、図３はフロート材の斜視図である。なお、説明中の寸法は通用する円筒状管渠が半径９００ｍｍのものを想定してのものである。
【００１１】
布状体１は、図１に示すように、上記管渠内周の約半分程度の幅３０３６ｍｍ、長さ２８００ｍｍからなる方形部２と、これに連続するほぼ半円形状を円心からＶ字状に５５度の角度で切り欠いた一対の弧状片３、３とからなる。
【００１２】
方形部２には、一端１０ｍｍ幅と両側１０ｍｍ幅をそれぞれ内壁取り付け代４、５、５として形成してある。一端の内壁取り付け代４は布状体１を円筒状管渠内壁の上半の周方向に固定し、両側の取り付け代５は布状体１を管渠内壁の管路方向に固定するためのものである。弧状片３には、その弧状縁部に複数の折り返し片７が切り込み６により形成され、Ｖ字状切り欠き縁部にはフロート収納部が２００ｍｍの幅で形成されている。
【００１３】
ここで布状体の材質は、特に問うものではないが防水性のものが好ましく、本発明では、両面塩ビコートアラミド繊維シートを使用した。
【００１４】
なお、布状体１の寸法は、幅、長さとも上記管渠の内周のきっちりと１／２ではないが、内壁取り付け代を除いた部分の寸法差が１０％程度までの差は、たとえば実験的に効果が確認できるものであれば、それで特定してもよく、また、壁面取り付け代として調整してもよい。この程度の差は、本発明にいう円筒状管渠内周の約半分程度の範囲である。
【００１５】
上記の布状体１は、図２に示すように、弧状縁部に形成された折り返し片７を折り返し、熱融着して該縁部が補強される。またＶ字状切り欠き縁部には、たとえば図３に示すフロート材９がフロート収納部８を折り返して収納される。
【００１６】
フロート材９は、単独気泡発泡体が好ましく、たとえばスチレン系の単独気泡発泡体９ａを角材状にし、両面からＦＲＰ板９ｂではさみこんでなっている。この例において、フロート材９の寸法は、上記フロート収納部８に収納できるように４０ｍｍ×６ｍｍ×１０００ｍｍである。
【００１７】
このようにして全体として管路臭気遮断シートが形成される。
【００１８】
つぎに、このようにしてなる管路臭気遮断シートの円筒状管渠内壁への取り付け工程を説明する。
【００１９】
図４、図５は、円筒状管渠内壁に臭気遮断シートを取り付ける工程を示す概略図、図６は図４のＡ−Ａ断面図、図７は図５のＢ−Ｂ断面図、図８は図４のａ部詳細図、図９は図５のｂ−ｂ詳細断面図、図１０は内壁取り付け代の押え金具の平面図である。
【００２０】
まず、図４、図６、図８に示すように、円筒状管渠１１のほぼ円心水平対向面に管路方向に沿って布状体１の方形部２の両側に形成された内壁取り付け代５、５を取り付ける。取り付けは管路方向に沿わせた内壁取り付け代５、５を図１０に示すようなアンカー打ち込み穴１４ａを開孔した押え金具１４で押え、打ち込み式アンカー１３を押え金具１４から、壁面を通して円筒状管渠１１に打ち込むことにより行う。
【００２１】
ついで、図５、図７、図９に示すように、方形部２の一端部に形成された内壁取り付け代４を円筒状管渠１１の内壁ほぼ上半周方向に沿って取り付ける。このとき布状体１は、図４、図６から明らかなように円筒状管渠１１内にあって下半方向に位置しているので、取り付け代４を上半周方向に反転させて行う。取り付けは上半周方向に沿わせた内壁取り付け代４を図１０に示すような打ち込み穴１４ａを開孔した押え金具１４で押え、打ち込み式アンカーを押え金具１４から壁面を通して円筒状管渠１１に打ち込むことにより行う。
【００２２】
上述の取り付けにおいて、布状体１の方形部２の一端部に形成された内壁取り付け代は管路上流側に、方形部２に連続する弧状片３は管路下流側に位置するものとする。なお、方形部の両側を壁面に先に取り付けるか、一端部を内壁ほぼ上半周方向に先に取り付けるかは任意である。
【００２３】
このようにして、管路臭気遮断シートが、円筒状管渠に取り付け固定されて管路臭気遮断方法が実施される。
【００２４】
つぎに、臭気遮断の概念を図１１に基づき説明する。
【００２５】
図１１（Ａ）は、円筒状管渠１１において、満水時の状態を示す。このとき臭気遮断シートの布状体１は方形部２の一端部を上流に、弧状片３、３を下流にして、円筒状管渠１１の内壁の上半の円周方向及び管路方向に沿っている。
【００２６】
図１１（Ｂ）は、円筒状管渠１１において、通常流水時の状態を示す。このとき、方形部２は一端が上流側に位置して、円筒状管渠１１の内壁の上半円周方向に固定され、かつ、両側部が円筒状管渠１１のほぼ円心水平対向面管渠方向に沿って固定されているので、上流から下流方向に固定部から水面にかけて斜めに垂れ下がる。弧状片３、３は固定されていないので、方形部２に連続する境目から下流方向に水面にかけて斜めに垂れ下がる。
【００２７】
図１１（Ｃ）は、円筒状管渠１１において、渇水時の状態を示す。このとき方形部２は、一端が上流側に位置して円筒状管渠１１の内壁の上半円周方向に固定され、かつ、両側部が円筒状管渠１１のほぼ円心水平対向面管路方向に沿っているので、上流から下流方向に斜めに、かつ、下半円周に沿うような方向を持って垂れ下がる。弧状片３、３は固定されていないので、方形部２に連続する境目から下流方向に斜めに垂れ下がる。
【００２８】
ここで、弧状片３、３はフロート材を備えているので、水位に応じ常に浮上しており、Ｖ字状切り欠き部が形成されて対となり、外側が弧状に形成されているので、水位に応じて円筒状管渠１１内壁に弧状が沿い、Ｖ字状切り欠き部が広がったり狭くなったりする。
【００２９】
そのため円筒状管渠１１内に流水との間に空隙が生じて、この空隙に悪臭が滞留または発生しても、悪臭は弧状片３、３により遮られ、円筒状管渠１１から漏出しない。
【００３０】
【発明の効果】
本発明は上述のようにしてなるのでつぎの効果を有する。
【００３１】
請求項１乃至請求項３において、布状体を上記の構成としたので、円筒状管渠内に流水との間に空隙が生じて、この空隙に悪臭が滞留または発生しても、悪臭は弧状片３、３により遮られ、円筒状管渠から流出しない。また流水の流れを遮ることもない。
【００３２】
請求項１乃至請求項３において、弧状片にフロート材を備えたので、円筒状管渠内の流水の水位に容易に追随することができる。
【００３３】
請求項２において、弧状片のＶ字状切り欠き縁部にフロート材収納部を形成したので、弧状片にフロート材を容易に備えることができる。
【００３４】
請求項３において、フロート材として合成樹脂単独気泡発泡体を使用したので、軽量で防水性にも優れている。
【図面の簡単な説明】
【図１】  本発明に係る管路臭気遮断シートの布状体の平面図である。
【図２】  本発明に係る臭気遮断シートの平面図である。
【図３】  フロート材の斜視図である。
【図４】  円筒状管渠内壁に臭気遮断シートを取り付ける工程図である。
【図５】  円筒状管渠内壁に臭気遮断シートを取り付ける工程図である。
【図６】  図４のＡ−Ａ断面図である。
【図７】  図５のＢ−Ｂ断面図である。
【図８】  図４のａ部詳細図である。
【図９】  図５のｂ−ｂ詳細断面図である。
【図１０】  布状体方形部の取り付け代押え金具の平面図である。
【図１１】  臭気遮断概念図である。
【符号の説明】
１    布状体
２    方形部
３    弧状片
４    内壁取り付け代
５    内壁取り付け代
６    切り込み
７    折り返し片
８    フロート収納部
９    フロート材
１１  円筒状管渠
【図１】
0003714668.tif 000002
【図２】
0003714668.tif 000003
【図３】
0003714668.tif 000004
【図４】
0003714668.tif 000005
【図５】
0003714668.tif 000006
【図６】
0003714668.tif 000007
【図７】
0003714668.tif 000008
【図８】
0003714668.tif 000009
【図９】
0003714668.tif 000010
【図１０】
0003714668.tif 000011
【図１１】
0003714668.tif 000012